(57)【要約】  径方向拡開ボルト・アセンブリは：対象物の孔内に挿入可能であると共に、テーパ付け(2)された少なくともひとつの内側表面部分を備えた内側表面を有するという中空要素(1)と；上記中空要素内に挿入可能な拡開用要素であって、上記中空要素の上記内側テーパ付き表面部分と協働すべくテーパ付けされた少なくともひとつの外側表面部分を備えた外側表面を有するという拡開用要素と；当該ボルト・アセンブリを締め付け且つ緩める相互に逆向きの２つの軸心方向に上記拡開用要素を変位させる付加的要素と；一方の上記付加的要素は、上記拡開用要素をひとつの軸心方向に変位させると共に、上記テーパ付き表面部分同士の協働により上記中空要素を拡開させて該中空要素を上記対象物の上記孔内に締着する一方、他方の上記付加的要素は、上記拡開用要素を逆の軸心方向に変位させると共に、上記テーパ付き表面部分同士は相互から離脱して上記中空要素は収縮し且つ当該径方向拡開ボルト・アセンブリは上記対象物の上記孔から取り外され得る様に、上記対象物と上記軸心方向端部の一方における上記付加的要素の一方との間に位置決め可能なワッシャと；を有する。【選択図】図１
2011526349.tif 000002
【特許請求の範囲】
【請求項１】
対象物の孔内に挿入可能であると共に、軸心を有し且つ径方向に拡開可能な中空要素であって、テーパ付けされた少なくともひとつの内側表面部分を備えた内側表面を有するという中空要素と、
前記中空要素内に挿入可能な拡開用要素であって、前記中空要素の前記内側テーパ付き表面部分と協働すべくテーパ付けされた少なくともひとつの外側表面部分を備えた外側表面を有するという拡開用要素であって、当該ボルト・アセンブリを締め付け且つ当該ボルト・アセンブリを対応して緩める相互に逆向きの２つの軸心方向に該拡開用要素を変位させるべく構成された付加的要素に対して各々が係合可能である対置された２つの軸心方向端部を有するという拡開用要素と、
一方の前記付加的要素は、前記拡開用要素をひとつの軸心方向に変位させると共に、前記内側および外側テーパ付き表面部分同士の協働により前記中空要素を拡開させて該中空要素を前記対象物の前記孔内に締着する一方、他方の前記付加的要素は、前記拡開用要素を逆の軸心方向に変位させると共に、前記内側および外側テーパ付き表面部分同士は相互から離脱して前記中空要素は収縮し且つ当該径方向拡開ボルト・アセンブリは前記対象物の前記孔から取り外され得る様に、前記対象物と前記軸心方向端部の一方における前記付加的要素の一方との間に位置決め可能なワッシャとを備える、
径方向拡開ボルト・アセンブリ。
【請求項２】
前記拡開用要素は、前記対置された各軸心方向端部上に配備された係合形態部であって前記各付加的要素により係合可能であるという係合形態部を有する、請求項１に記載の径方向拡開ボルト・アセンブリ。
【請求項３】
前記拡開用要素の前記対置された各軸心方向端部上の前記係合形態部は螺条を含む、請求項２に記載の径方向拡開ボルト・アセンブリ。
【請求項４】
前記ワッシャは、前記中空要素の一方の軸心方向端部に対して回転不能に接続され、且つ、
当該径方向拡開ボルト・アセンブリは、前記ワッシャを前記中空要素の前記一方の軸心方向端部に対して回転不能に接続させる手段を更に備える、請求項１に記載の径方向拡開ボルト・アセンブリ。
【請求項５】
前記ワッシャを前記中空要素の前記一端部に対して回転不能に接続する前記手段は、多角形形態部を含む、請求項４に記載の径方向拡開ボルト・アセンブリ。
【請求項６】
前記ワッシャは、前記一方の付加的要素を旋回させるための工具により係合される手段であって、前記工具により前記一方の付加的要素に対して作用力が付与される間に生成される反力を吸収するという手段を有する、請求項１に記載の径方向拡開ボルト・アセンブリ。
【請求項７】
前記工具により係合される前記手段は多角形形態部を含む、請求項６に記載の径方向拡開ボルト・アセンブリ。
【請求項８】
前記逆側の軸心方向端部において前記中空要素は径方向突出部分を有する、請求項１に記載の径方向拡開ボルト・アセンブリ。
【請求項９】
前記突出部分は、工具により係合される手段であって、前記拡開用要素を前記逆の軸心方向に変位させるために前記他方の付加的要素に対して前記工具により作用力が付与される間に生成される反力を吸収するという手段を備える、請求項８に記載の径方向拡開ボルト・アセンブリ。
【請求項１０】
前記各付加的要素は螺条付きナットである、請求項３に記載の径方向拡開ボルト・アセンブリ。
【発明の詳細な説明】
【技術分野】
【０００１】
本出願は、2008年6月26日に出願された米国仮特許出願第61/075,791号、および、2009年4月17日に出願された米国通常特許出願第12/425,518号の優先権の利益を主張する。更に、上述の米国仮特許出願および通常特許出願の主題は、言及したことにより明示的に本明細書中に援用される。
【０００２】
本発明はボルト・アセンブリに関し、特に、径方向拡開ボルト・アセンブリに関する。
【背景技術】
【０００３】
当業界において、径方向に拡開し得るボルト・アセンブリは公知である。上記公知の径方向拡開ボルト・アセンブリは、内側テーパ付き部分を備えたスリーブとして形成された外側の管状拡開可能要素と、上記スリーブの上記テーパ付き部分と協働する外側テーパ付き部分を備えた内側スタッドとして形成された対応内側拡開要素とを含んでいる。上記外側スリーブは、たとえば相互に対して接続される２つの隣接するフランジなどの、緊張されるべき対象物の孔内に挿入される。この後で上記内側スタッドは、上記外側スリーブ内に挿入されると共に、外部手段により引張られることで、夫々のテーパ付き部分を付勢して相互に摺動させることから、上記外側スリーブは拡開される。
【０００４】
現在、上記径方向拡開ボルト・アセンブリに対して引張荷重を付与する外部手段としては、油圧式工具、または、複数のジャッキ・ネジが使用されている。既存の径方向拡開ボルト・アセンブリは、更に改良され得ることが確信される。
【発明の概要】
【発明が解決しようとする課題】
【０００５】
故に、本発明の目的は、この種の既存のアセンブリの更なる改良物である径方向拡開ボルト・アセンブリを提供するに在る。
【課題を解決するための手段】
【０００６】
これらの目的、および、本明細書において以下で明らかとなる他の目的を達成するために、本発明のひとつの特徴は、
対象物の孔内に挿入可能であると共に、軸心を有し且つ径方向に拡開可能な中空要素であって、テーパ付けされた少なくともひとつの内側表面部分を備えた内側表面を有するという中空要素と、
上記中空要素内に挿入可能な拡開用要素であって、上記中空要素の上記内側テーパ付き表面部分と協働すべくテーパ付けされた少なくともひとつの外側表面部分を備えた外側表面を有するという拡開用要素であって、当該ボルト・アセンブリを締め付け且つ当該ボルト・アセンブリを対応して緩める相互に逆向きの２つの軸心方向に該拡開用要素を変位させるべく構成された付加的要素に対して各々が係合可能である対置された２つの軸心方向端部を有するという拡開用要素と、
一方の上記付加的要素は、上記拡開用要素をひとつの軸心方向に変位させると共に、上記内側および外側テーパ付き表面部分同士の協働により上記中空要素を拡開させて該中空要素を上記対象物の上記孔内に締着する一方、他方の上記付加的要素は、上記拡開用要素を逆の軸心方向に変位させると共に、上記内側および外側テーパ付き表面部分同士は相互から離脱して上記中空要素は収縮し且つ当該径方向拡開ボルト・アセンブリは上記対象物の上記孔から取り外され得る様に、上記対象物と上記軸心方向端部の一方における上記付加的要素の一方との間に位置決め可能なワッシャとを備える、
径方向拡開ボルト・アセンブリに在る。
【０００７】
本発明の別の特徴は、簡潔に述べると、上記拡開用要素は、上記対置された各軸心方向端部上に配備された係合形態部であって上記各付加的要素により係合可能であるという係合形態部を有することに在る。
【０００８】
本発明の更なる特徴は、上記ワッシャは、上記中空要素の一方の軸心方向端部に対して回転不能に接続され、且つ、上記ワッシャを上記中空要素の上記一方の軸心方向端部に対して回転不能に接続させる手段が配備されることに在る。
【０００９】
本発明の更なる特徴は、上記ワッシャは、上記一方の付加的要素を旋回させるための工具により係合される手段であって、上記工具により上記一方の付加的要素に対して作用力が付与される間に生成される反力を吸収するという手段を有することに在る。
【００１０】
本発明の更なる特徴は、上記逆側の軸心方向端部において上記中空要素は径方向突出部分を有することに在る。
【００１１】
本発明の更なる特徴は、上記突出部分は、工具により係合される手段であって、上記拡開用要素を上記逆の軸心方向に変位させるために上記他方の付加的要素に対して上記工具により作用力が付与される間に生成される反力を吸収するという手段を備えることに在る。
【００１２】
本発明に対して固有であると考えられる新規な特徴は、特に添付の各請求項に示される。但し、本発明の付加的な目的および利点、並びに、本発明の構成および本発明の作用の方法の両方に関し、本発明自体は、添付図面に関して以下の特定実施例の記述を読破することで最適に理解されよう。
【図面の簡単な説明】
【００１３】
【図１】使用対象である対象物と協働する本発明に係る径方向拡開ボルト・アセンブリの断面図である。
【図２】本発明に係る上記径方向拡開ボルト・アセンブリの斜視図である。
【発明を実施するための形態】
【００１４】
本発明の径方向拡開ボルト・アセンブリは、スリーブ（1）として形成された外側中空管状部材を含んでいる。スリーブ（1）は、外側円筒状表面と、少なくともひとつのテーパ付き部分（2）を含む内側面とを有する。スリーブ（1）は、軸心（2）と、２つの軸心方向端部（3、4）とを有する。本明細書において以下に説明される目的のために、スリーブ（2）の軸心方向端部（3）は、たとえば軸心方向延在スプラインもしくは六角形表面もしくは星形状表面もしくは他の多角形形態部（5）などとして形成された係合形態部を備える一方、径方向突出フランジとして形成される逆側の軸心方向端部（4）もまた、同様にたとえば軸心方向延在スプラインもしくは六角形表面もしくは星形状表面もしくは他の多角形形態部（6）として形成され得る係合形態部を有する。
【００１５】
上記径方向拡開ボルト・アセンブリは更に、内側スタッド（7）が形成された拡開用部材を有する。スタッド（7）は、本明細書において以下に説明される目的のために、たとえば螺条（10、11）などの係合形態部を各々が備えるべく対置された２つの軸心方向端部（8、9）を有する。スタッド（7）は、スリーブ（1）の上記内側表面のテーパ付き部分（2）に対して実質的に対応してテーパ付けされた少なくともひとつの部分（12）を備えた外側表面を有する。
【００１６】
本発明に係る径方向拡開ボルト・アセンブリは更に、参照番号（13）により特定されるワッシャを有する。該ワッシャ（13）は、軸心（A）の回りにおいて該ワッシャ（13）をスリーブ（1）に対して接続するために該スリーブ（1）の外側多角形形態部（5）に対して係合可能である内側スプラインもしくは六角形表面もしくは星形状表面もしくは他の多角形形態部（14）を備えた内側表面を有する。ワッシャ（13）は更に、上記ボルト・アセンブリを締め付けもしくは緩める工具により係合されるべく例えば外側の軸心方向延在スプラインもしくは六角形表面もしくは星形状表面もしくは他の多角形形態部（15）として形成された外側係合形態部を有する。
【００１７】
段状形成ナット（16）は、ワッシャ（13）の開口内に挿入可能な部分を有し、且つ、スタッド（7）の外側螺条に対して噛合可能な内側螺条（17）を有している。ナット（16）はまた、複数の軸心方向延在スプラインもしくは六角形表面もしくは星形状表面もしくは他の多角形形態部（18）を備えた外側部分も有している。別のナット（19）は、スリーブ（1）の逆端部内に挿入可能な部分を有し、且つ、スタッド（7）の逆端部上の外側螺条に噛合可能な内側螺条（20）を有している。ナット（19）はまた、複数の軸心方向延在スプラインもしくは六角形表面もしくは星形状表面もしくは他の多角形形態部（21）を備えた外側部分も有している。
【００１８】
スリーブ（1）は、径方向に拡開可能である。このことは、スリーブ（1）を薄寸の延伸可能な壁部にて作成すること、該スリーブに長手スロット（22）を配備することなどにより達成され得る。
【００１９】
本発明に係る上記径方向拡開ボルト・アセンブリは、以下の様式で動作する：
【００２０】
外側スリーブ（1）は先ず、相互に対して整列かつ固定されるべき２つのフランジ（25、26）から構成される対象物の内側孔（23、24）を通過する。次に、外側スリーブ（1）の右側の軸心方向端部（3）上にはワッシャ（13）が装着され、且つ、その内側多角形形態部はスリーブ（1）の外側多角形形態部に対して係合する。スリーブ（1）の内部へとスタッド（7）が導入され、且つ、該スタッド（7）の右側の軸心方向端部上にはナット（16）が螺着される。上記拡開ボルト・アセンブリに対しては、たとえばトルク・レンチなどの工具が適用される。特に、ナット（16）の多角形形態部（18）に係合する該工具の回転部分により作用力が付与される一方、たとえば固定的な反動要素などの上記工具の反動吸収部分はワッシャ（13）の多角形形態部（15）に係合する。
【００２１】
ワッシャ（13）により反動を吸収し乍ら上記工具によりナット（16）を旋回させる間、上記内側スタッドは図１において右方向に引張られる。外側スリーブ（1）の上記内側表面のテーパ付き部分（2）に対するスタッド（7）の外側表面のテーパ付き部分の協働により、この軸心方向変位の間にスリーブ（1）は径方向外側に拡開する。ロッド（7）の軸心方向変位により、上記対象物のフランジ（25、26）は相互に整列され且つワッシャ（13）とフランジ（4）との間において軸心方向に締着され、且つ、径方向拡開スリーブ（1）は上記対象物の孔（23、24）内で径方向に締着されると共に、上記ボルト・アセンブリは上記対象物内において締め付けられる。
【００２２】
上記径方向拡開ボルト・アセンブリを上記対象物から解除するために、ナット（19）がスタッド（7）の左側の軸心方向端部上に螺着され且つ該ナットは作用力を付与する工具の一部により旋回される一方、静止的であり且つ反力を吸収する上記工具の別の部分は、スリーブ（1）のフランジ（4）の上記多角形形態部に係合する。ナット（16）は、スタッド（7）の右側の軸心方向端部から螺着解除される。ナット（19）の回転の間、上記スタッドは逆の軸心方向に引張られ、スリーブ（1）に対する該スタッド（7）の外径方向圧力を排除するために、該スタッド（7）の外側表面の上記テーパ付き部分はスリーブ（1）の内側表面の上記テーパ付き部分から離脱する。外側スリーブ（1）の外径は減少され、且つ、それは対象物（25、26）の孔（23、24）の内壁から離脱する。本発明の上記アセンブリは、開口（23、24）を貫通して左側へと引張られ、対象物（25、26）から取り外され得る。
【産業上の利用可能性】
【００２３】
上述の要素の各々、または、協働する２つ以上の要素は、上述された形式とは異なる他の形式の構成物においても有効な用途を見出し得る。
【００２４】
本発明は径方向拡開ボルト・アセンブリにおいて具現されたものとして図示かつ記述されてきたが、本発明は示された詳細に限定されることは意図されない、と言うのも、本発明の精神から何ら逸脱せずに種々の改変および構造的変更が為され得るからである。
【００２５】
更なる解析をせずとも、上述の内容は、他者が、先行技術の観点から、本発明の概略的なもしくは特定の見地の本質的な特性を十分に構成する特徴を除外せずに、現在の知見を適用することにより本発明を種々の用途に対して容易に適合させ得るほどに十分に、本発明の要旨を明らかとしている。
【００２６】
新規であるものとして権利請求され且つ特許証により権利保護されることが望まれる処は、添付の各請求項中に示される。
【図１】
2011526349.tif 000003
【図２】
2011526349.tif 000004
【国際調査報告】
2011526349.tif 000005
2011526349.tif 000006
2011526349.tif 000007